(57)【要約】【課題】ユーザが余分な時間を費やすことなく画情報の処理状況を把握することができるようにすること。【解決手段】記憶処理や送信処理などの画情報処理が中断している旨の判定がなされると、ＣＰＵ２２は、ＲＯＭ２１に格納された通知プログラム２１ｅを実行して、記憶処理や送信処理などの画情報処理が中断している旨をＲＡＭ２３やＨＤＤ２５に記憶された宛先情報が示す宛先（例えば、移動体端末３０など）に通知する。記憶処理や送信処理などの画情報処理が終了している旨が判定されると、ＣＰＵ２２は、ＲＯＭ２１に格納された通知プログラム２１ｅを実行して、記憶処理や送信処理などの画情報処理が終了した旨をＲＡＭ２３やＨＤＤ２５に記憶された宛先情報が示す宛先（例えば、移動体端末３０の宛先など）に通知する。【選択図】      図４
2004274119.tif 000002
【特許請求の範囲】
【請求項１】
宛先が記載された制御シートを含む各種シートから画情報を取得する取得手段と、
前記取得手段によって取得された画情報から宛先を示す宛先情報を抽出する抽出手段と、
前記取得手段によって取得された画情報を処理する画情報処理手段と、
前記画情報処理手段による画情報の処理状況を、前記抽出手段によって抽出された宛先情報が示す宛先に通知する通知手段とを備えることを特徴とする画情報処理装置。
【請求項２】
前記通知手段は、前記画情報処理手段による画情報の処理状況に応じて通知態様を変化させることを特徴とする請求項１に記載の画情報処理装置。
【請求項３】
前記通知手段は、前記画情報処理手段による画情報の処理状況ごとに別個の宛先を選択して通知することを特徴とする請求項１または請求項２に記載の画情報処理装置。
【請求項４】
前記通知手段は、前記画情報処理手段による画情報の処理が終了した旨および前記画情報処理手段による画情報の処理が中断した旨の少なくとも一方を通知することを特徴とする請求項１ないし請求項３の何れかに記載の画情報処理装置。
【請求項５】
前記抽出手段が前記取得手段によって取得された画情報から宛先情報を抽出する前に、前記取得手段によって取得された画情報に対して予め定められた前処理を施す前処理手段と、
前記抽出手段によって宛先情報が抽出されなかった場合に、前記前処理手段による予め定められた前処理の内容を変更する前処理変更手段を備え、
前記抽出手段は、前記前処理変更手段によって変更された前処理を施した画情報から宛先情報を抽出することを特徴とする請求項１ないし請求項４の何れかに記載の画情報処理装置。
【請求項６】
コンピュータを、
宛先が記載された制御シートを含む各種シートから画情報を取得する取得手段と、
前記取得手段によって取得された画情報から宛先を示す宛先情報を抽出する抽出手段と、
前記取得手段によって取得された画情報を処理する画情報処理手段と、
前記画情報処理手段による画情報の処理状況を、前記抽出手段によって抽出された宛先情報が示す宛先に通知する通知手段として機能させることを特徴とする画情報処理プログラム。
【請求項７】
前記通知手段は、前記画情報処理手段による画情報の処理状況に応じて通知態様を変化させることを特徴とする請求項６に画情報処理プログラム。
【請求項８】
前記通知手段は、前記画情報処理手段による画情報の処理状況ごとに別個の宛先を選択して通知することを特徴とする請求項６または請求項７に記載の画情報処理プログラム。
【請求項９】
前記通知手段は、前記画情報処理手段による画情報の処理が終了した旨および前記画情報処理手段による画情報の処理が中断した旨の少なくとも一方を通知することを特徴とする請求項６ないし請求項８の何れかに記載の画情報処理プログラム。
【請求項１０】
前記抽出手段が前記取得手段によって取得された画情報から宛先情報を抽出する前に、前記取得手段によって取得された画情報に対して予め定められた前処理を施す前処理手段と、
前記抽出手段によって宛先情報が抽出されなかった場合に、前記前処理手段による予め定められた前処理の内容を変更する前処理変更手段として、コンピュータを機能させるとともに、前記抽出手段は、前記前処理変更手段によって変更された前処理を施した画情報から宛先情報を抽出することを特徴とする請求項６ないし請求項９の何れかに記載の画情報処理プログラム。
【請求項１１】
請求項６ないし請求項１０の何れかに記載の画情報処理プログラムを記憶したコンピュータ読取可能な記憶媒体。
【発明の詳細な説明】
【０００１】
【発明の属する技術分野】
本発明は、画情報処理装置、画情報処理プログラムおよび画情報処理プログラムに関し、より詳しくは、ユーザが余分な時間を費やすことなく画情報の処理状況を把握することができる画情報処理装置、画情報処理プログラムおよび画情報処理プログラムを記憶したコンピュータ読取可能な記憶媒体に関するものである。
【０００２】
【従来の技術】
従来の技術として、画情報の送信中に何らかの原因により送信エラーが発生すると、主制御部に予め記憶されている送信宛先及び宛先電話番号記入の専用原稿と同様の書式のイメージを出力イメージ作成部に読み出し展開をおこない、出力イメージ部に展開されている書式イメージを出力記録部に出力するファクシミリ装置が知られている（特許文献１）。
【０００３】
また、消耗品に関する異常が発生した場合に、メールアドレス格納部から消耗品管理者のメールアドレスを取得し、消耗品の異常を示すメールを消耗品管理者宛に送信する画像読取装置が知られている（特許文献２）。
【０００４】
【特許文献１】
特開平７−７４８７２号公報（第５頁、第７図）
【０００５】
【特許文献２】
特開２００１−２２９０８９号公報（第４頁、第２図）
【０００６】
【発明が解決しようとする課題】
しかしながら、特許文献１に記載のものは、送信エラーの発生を出力記録部からの出力によって知らせるので、送信エラーの発生を知るために出力記録部の近傍に留まる必要があり、特に、大量の書類が送信される場合に、ユーザが出力記録部の近傍に長時間拘束されてしまうという問題があった。
【０００７】
また、特許文献２に記載のものは、消耗品の異常を示すメールをメールアドレス格納部から取得したメールアドレスに送信しているにすぎないので、送信エラーの発生を知るために出力記録部の近傍に留まる必要があり、特に、大量の書類が送信される場合に、ユーザが出力記録部の近傍に長時間拘束されてしまうという問題があった。
【０００８】
そこで、本発明は、ユーザが余分な時間を費やすことなく画情報の処理状況を把握することができる画情報処理装置、画情報処理プログラムおよび画情報処理プログラムを記憶したコンピュータ読取可能な記憶媒体を提供するものである。
【０００９】
【課題を解決するための手段】
前述の課題を解決するため、本発明に係る画情報処理装置は、宛先が記載された制御シートを含む各種シートから画情報を取得する取得手段と、前記取得手段によって取得された画情報から宛先を示す宛先情報を抽出する抽出手段と、前記取得手段によって取得された画情報を処理する画情報処理手段と、前記画情報処理手段による画情報の処理状況を、前記抽出手段によって抽出された宛先情報が示す宛先に通知する通知手段とを備えることを特徴とする構成を有する。ここで、前処理とは、抽出処理を容易にするために抽出処理の前提として行われる画情報処理をいう。
【００１０】
この構成によれば、画情報の処理状況が制御シートに記載の宛先に送信されるので、ユーザは、装置近辺に留まること必要がなくなり、余分な時間を費やすことなく画情報の処理状況を把握することができる。
【００１１】
本発明に係る画情報処理装置においては、前記通知手段は、前記画情報処理手段による画情報の処理状況に応じて通知態様を変化させることを特徴とする構成を有する。
【００１２】
この構成によれば、画情報の処理状況に応じて通知態様が変化するので、ユーザは、通知態様の違いから画情報の処理状況を容易に把握することができる。
【００１３】
本発明に係る画情報処理装置においては、前記通知手段は、前記画情報処理手段による画情報の処理状況ごとに別個の宛先を選択して通知することを特徴とする構成を有する。
【００１４】
この構成によれば、画情報の処理状況ごとに別個の宛先が選択されて、画情報の処理状況が通知されるので、画情報の処理状況を把握するユーザが画情報の処理状況ごとに異なっていても、各ユーザは、余分な時間を費やすことなく画情報の処理状況を容易に把握することができる。
【００１５】
本発明に係る画情報処理装置においては、前記通知手段は、前記画情報処理手段による画情報の処理が終了した旨および前記画情報処理手段による画情報の処理が中断した旨の少なくとも一方を通知することを特徴とする構成を有する。
【００１６】
この構成によれば、前記画情報処理手段による画情報の処理が終了した旨および前記画情報処理手段による画情報の処理が中断した旨の少なくとも一方が通知されるので、ユーザは、余分な時間を費やすことなく処理の終了および処理の中断の少なくとも一方を把握することができる。
【００１７】
本発明に係る画情報処理装置においては、前記抽出手段が前記取得手段によって取得された画情報から宛先情報を抽出する前に、前記取得手段によって取得された画情報に対して予め定められた前処理を施す前処理手段と、前記抽出手段によって宛先情報が抽出されなかった場合に、前記前処理手段による予め定められた前処理の内容を変更する前処理変更手段を備え、前記抽出手段は、前記前処理変更手段によって変更された前処理を施した画情報から宛先情報を抽出することを特徴とする構成を有する。
【００１８】
この構成によれば、宛先情報が抽出されないと、前処理の内容が変更された上で、宛先情報が再度抽出されるので、宛先情報が抽出される確率が高くなり、ユーザは、画情報の処理状況をより確実に把握することができる。
【００１９】
本発明に係る画情報処理プログラムは、コンピュータを、宛先が記載された制御シートを含む各種シートから画情報を取得する取得手段と、前記取得手段によって取得された画情報から宛先を示す宛先情報を抽出する抽出手段と、前記取得手段によって取得された画情報を処理する画情報処理手段と、前記画情報処理手段による画情報の処理状況を、前記抽出手段によって抽出された宛先情報が示す宛先に通知する通知手段として機能させることを特徴とする構成を有する。ここで、前処理とは、抽出処理を容易にするために抽出処理の前提として行われる画情報処理をいう。
【００２０】
この構成によれば、画情報の処理状況が制御シートに記載の宛先に送信されるので、ユーザは、装置近辺に留まること必要がなくなり、余分な時間を費やすことなく画情報の処理状況を把握することができる。
【００２１】
本発明に係る画情報処理プログラムにおいては、前記通知手段は、前記画情報処理手段による画情報の処理状況に応じて通知態様を変化させることを特徴とする構成を有する。
【００２２】
この構成によれば、画情報の処理状況に応じて通知態様が変化するので、ユーザは、通知態様の違いから画情報の処理状況を容易に把握することができる。
【００２３】
本発明に係る画情報処理プログラムにおいては、前記通知手段は、前記画情報処理手段による画情報の処理状況ごとに別個の宛先を選択して通知することを特徴とする構成を有する。
【００２４】
この構成によれば、画情報の処理状況ごとに別個の宛先が選択されて、画情報の処理状況が通知されるので、画情報の処理状況を把握するユーザが画情報の処理状況ごとに異なっていても、各ユーザは、余分な時間を費やすことなく画情報の処理状況を容易に把握することができる。
【００２５】
本発明に係る画情報処理プログラムにおいては、前記通知手段は、前記画情報処理手段による画情報の処理が終了した旨および前記画情報処理手段による画情報の処理が中断した旨の少なくとも一方を通知することを特徴とする構成を有する。
【００２６】
この構成によれば、前記画情報処理手段による画情報の処理が終了した旨および前記画情報処理手段による画情報の処理が中断した旨の少なくとも一方が通知されるので、ユーザは、余分な時間を費やすことなく処理の終了および処理の中断の少なくとも一方を把握することができる。
【００２７】
本発明に係る画情報処理プログラムにおいては、前記抽出手段が前記取得手段によって取得された画情報から宛先情報を抽出する前に、前記取得手段によって取得された画情報に対して予め定められた前処理を施す前処理手段と、前記抽出手段によって宛先情報が抽出されなかった場合に、前記前処理手段による予め定められた前処理の内容を変更する前処理変更手段として、コンピュータを機能させるとともに、前記抽出手段は、前記前処理変更手段によって変更された前処理を施した画情報から宛先情報を抽出することを特徴とする構成を有する。
【００２８】
この構成によれば、宛先情報が抽出されないと、前処理の内容が変更された上で、宛先情報が再度抽出されるので、宛先情報が抽出される確率が高くなり、ユーザは、画情報の処理状況をより確実に把握することができる。
【００２９】
【発明の実施の形態】
図１ないし図３を参照して、本発明に係る画情報処理装置の一実施形態である画像処理ユニットの構成を説明する。図１に示すように、画像処理システム１は、シートを自動的に搬送するとともにシートに記載の可視画像を画情報として読み込むイメージスキャナ１０と、イメージスキャナ１０によって読み込まれた画情報を処理する画情報処理ユニット２０と、画情報処理ユニット２０とネットワーク４０を介して接続されている移動体端末３０とからなる。
【００３０】
図２に示すように、画情報処理ユニット２０は、各種プログラムなどを格納する読み出し専用記憶素子（以下、ＲＯＭという）２１と、ＲＯＭ２１に格納された各種プログラムを実行して処理を行う中央処理装置（以下、ＣＰＵという）２２と、ＣＰＵ２２による処理結果を短期に記憶する等速呼出し記憶装置（以下、ＲＡＭという）２３と、ネットワーク３０上の装置と情報交換を行うインターフェース部（以下、Ｉ／Ｆ部という）２４と、ＣＰＵ２２による処理結果を長期に記憶する固定ディスク装置（以下、ＨＤＤという）２５と、ＣＤ−ＲＯＭ５０から最新のプログラムなどを読み出すＣＤ−ＲＯＭドライブ２６とを備える。
【００３１】
図３に示すように、ＲＯＭ２１は、イメージスキャナ１０によって読み込まれた画情報を取得するための取得プログラム２１ａと、取得された画情報を前処理するための前処理プログラム２１ｂと、前処理された画情報から宛先情報を抽出し抽出の成否を判定するための抽出プログラム２１ｃと、取得された画情報を送信する送信処理や取得された画情報を記憶する記憶処理などのための画情報処理プログラム２１ｄと、送信処理や記憶処理の処理状況などを通知するための通知プログラム２１ｅと、前処理された画情報から宛先情報を抽出できなかった場合に前処理の内容を変更する前処理変更プログラム２１ｆとを格納する。本実施の形態では、各プログラムがＲＯＭ２１に予め格納されているが、各プログラムをＣＤ−ＲＯＭ５０に格納して、ＣＤ−ＲＯＭドライブ２６によってＣＤ−ＲＯＭ５０から各プログラムを読み出すようにしてもかまわない。
【００３２】
このように、ＣＰＵ２２およびＲＯＭ２１は、取得手段としての機能、前処理手段としての機能、抽出手段としての機能、画情報処理手段としての機能、通知手段としての機能および前処理変更手段としての機能を有する。
【００３３】
次に、図１、図４および図５を参照して、本実施の形態の画像処理ユニットの特徴的動作を説明する。図１に示すように、ユーザＸが制御シート６０と原稿シート６１とからなるシート束６２をイメージスキャナ１０の上に載置すると、イメージスキャナ１０は、制御シート６０から順に搬送して制御シート６０や原稿シート６１から画情報を読み込む。
【００３４】
図４に示すように、制御シート６０や原稿シート６１から画情報が読み込まれると、ＣＰＵ２２は、ＲＯＭ２１に格納された取得プログラム２１ａを実行して、読み込まれた画情報を取得する（ステップＳ１１）。
【００３５】
画情報が取得されると、ＣＰＵ２２は、ＲＯＭ２１に格納された前処理プログラム２１ｂを実行して、画情報に対して前処理を施す（ステップＳ１２）。ここで、前処理とは、抽出処理を容易にするために抽出処理の前提として行われる画情報処理をいう。具体的には、画情報に含まれるノイズを除去するノイズ除去処理、画情報に対しての濃淡を調整する処理を施す強調処理、画情報の歪みを補正する歪み補正処理、画情報に対して拡大、縮小、回転などの幾何学的変換を施す幾何学的変換処理、画情報から図形を切り出す切り出し処理、画情報の領域を分割する領域分割処理などがある。
【００３６】
画情報に対して前処理が施されると、ＣＰＵ２２は、ＲＯＭ２１に格納された抽出プログラム２１ｃを実行して、画情報から宛先を示す宛先情報を抽出する処理を開始する（ステップＳ１３）。具体的には、図５に示すように、制御シート６０から読み込まれた画情報７０が、Ａ領域７１、Ｂ領域７２、Ｃ領域７３に分割されると、ＣＰＵ２２は、ＲＯＭ２１に格納された抽出プログラム２１ｃを実行して、制御紙である旨の情報を領域７１から抽出すると、ユーザＸの移動体端末３０の宛先を示す宛先情報を領域７２から抽出する処理およびユーザＸの識別情報（ＩＤ情報）を領域７３から抽出する処理を開始する。
【００３７】
宛先情報を抽出する処理が開始されると、ＣＰＵ２２は、ＲＯＭ２１に格納された抽出プログラム２１ｃを実行して、宛先情報が抽出されたか否かを判定する（ステップＳ１４）。さらに、ＣＰＵ２２は、ＲＯＭ２１に格納された抽出プログラム２１ｃを実行して、抽出された宛先情報から宛先を認識することが可能か否かを判定することが好ましい。
【００３８】
ステップＳ１４において、宛先情報が抽出されなかった旨の判定がなされた場合、ＣＰＵ２２は、ＲＯＭ２１に格納された前処理変更プログラム２１ｆを実行して、前処理の内容を変更する（ステップＳ１５）。具体的には、画情報を９０度から１８０度回転させることや、画情報の濃度を高くすることが行われ、画情報に対して再度抽出処理が施される。
【００３９】
ステップＳ１４において、宛先情報が抽出された旨の判定がなされた場合、ＣＰＵ２２は、ＲＯＭ２１に格納された画情報処理プログラム２１ｄを実行して、宛先情報をＲＡＭ２３やＨＤＤ２５に記憶する（ステップＳ１６）。
【００４０】
宛先情報が記憶されると、ＣＰＵ２２は、ＲＯＭ２１に格納された画情報処理プログラム２１ｄに従って、制御シート以外のシートから取得された画情報をＲＡＭ２３やＨＤＤ２５に記憶する記憶処理や制御シート以外のシートから取得された画情報を送信する送信処理などの画情報処理を開始する（ステップＳ１７）。
【００４１】
記憶処理や送信処理などの画情報処理が開始されると、ＣＰＵ２２は、ＲＯＭ２１に格納された画情報処理プログラム２１ｄに従って、記憶処理や送信処理などの画情報処理が中断していないか否かを判定する（ステップＳ１８）。
【００４２】
ステップＳ１８において、記憶処理や送信処理などの画情報処理が中断している旨の判定がなされると、ＣＰＵ２２は、ＲＯＭ２１に格納された通知プログラム２１ｅを実行して、記憶処理や送信処理などの画情報処理が中断している旨をＲＡＭ２３やＨＤＤ２５に記憶された宛先情報が示す宛先（例えば、移動体端末３０など）に通知する（ステップＳ１９）。具体的には、記憶処理や送信処理などの画情報処理が中断している旨がメール文書などで通知されることが好ましいが、端末が有する振動通知機能やメロディー通知機能などを利用して通知されてもよい。また、画情報を領域分割して宛先情報を切り出す処理や宛先情報から宛先を認識・判定する処理として、光学式文字読み取り処理（ＯＣＲ処理）などの公知の処理が用いられればよい。
【００４３】
ステップＳ１８において、記憶処理や送信処理などの画情報処理が中断していない旨の判定がなされると、ＣＰＵ２２は、ＲＯＭ２１に格納されたが情報処理プログラム２１ｄを実行して、記憶処理や送信処理などの画情報処理が終了しているか否かを判定する（ステップＳ２０）。
【００４４】
記憶処理や送信処理などの画情報処理が終了している旨が判定されると、ＣＰＵ２２は、ＲＯＭ２１に格納された通知プログラム２１ｅを実行して、記憶処理や送信処理などの画情報処理が終了した旨をＲＡＭ２３やＨＤＤ２５に記憶された宛先情報が示す宛先（例えば、移動体端末３０の宛先など）に通知する（ステップＳ２１）。具体的には、記憶処理や送信処理などの画情報処理が終了した旨がメール文書などで通知されることが好ましいが、画像処理ユニット２０が、端末が有する振動通知機能やメロディー通知機能などを制御するためのコマンドを送信して、記憶処理や送信処理などの画情報処理が終了した旨を端末が有する振動通知機能やメロディー通知機能などを介して通知してもよい。
【００４５】
また、画情報処理が中断している旨の通知はメール文書で行われ、他方、画情報処理が終了した旨の通知は振動通知機能やメロディー通知機能など行われるようにするなど、通知される処理状況の内容に応じて通知態様が変化してもよい。
【００４６】
さらに、抽出された宛先情報が複数の異なる宛先を示している場合、具体的には、抽出された宛先情報がユーザＸの移動体端末３０の宛先および移動体端末３０以外の端末の宛先を示している場合に、画情報処理が中断している旨の通知はユーザＸの移動体端末３０になされ、他方、画情報処理が終了した旨は移動体端末３０以外の端末になされるようにするなど、画情報の処理状況と宛先との対応関係を示すテーブルが用いられることによって、通知される処理状況の内容に応じて通知先が変化してもよい。
【００４７】
なお、ステップＳ１８からステップＳ２０までの処理は、ステップＳ２０において、記憶処理や送信処理などの画情報処理が終了している旨の判定がなされるまで繰り返される。
【００４８】
以上本実施の形態では、宛先情報は、イメージスキャナ１０によって制御シート６０の記載を読み込んで得られているが、宛先情報がバーコードリーダーによって制御シート６０に設けられたバーコードを読み込んで得られる場合や、宛先情報がＩＣチップリーダによって制御シート６０に設けられたＩＣチップからの情報を読み込んで得られる場合、宛先情報が磁気インクリーダーによって制御シート６０に設けられた磁気インクからの情報を読み込んで得られる場合を妨げない。
【００４９】
以上本実施の形態によれば、画情報処理が中断した旨や画情報処理が終了した旨がユーザＸの移動体端末３０に送信されるので、ユーザＸは、画像処理ユニット２０の近辺に留まってシート束６２が全て搬送されるのを見届ける必要がなくなり、余分な時間を費やすことなく、画情報処理が中断した旨や画情報処理が終了した旨を把握することができる。
【００５０】
本実施の形態によれば、画情報処理が中断している旨の通知はメール文書で行われ、他方、画情報処理が終了した旨の通知は振動通知機能やメロディー通知機能など行われるようにするなど、通知される処理状況の内容に応じて通知態様が変化するので、ユーザＸは、通知態様の違いから画情報処理が中断している旨の通知と画情報処理が終了した旨の通知との違いを容易に把握することができる。
【００５１】
本実施の形態によれば、画情報処理が中断している旨の通知はユーザＸの移動体端末３０になされ、他方、画情報処理が終了した旨はユーザＸ以外の端末になされるようにするなど、通知される処理状況の内容に応じて通知先が変化するので、画情報処理が中断している旨を把握する者がユーザＸであり、他方、画情報処理が終了した旨を把握する者がユーザＸ以外の者であっても、両者は、ともに、余分な時間を費やすことなく画情報処理が中断している旨または画情報処理が終了した旨を容易に把握することができる。
【００５２】
本実施の形態によれば、宛先情報が抽出されないと、画情報を９０度から１８０度回転させる幾何学的変換処理や画情報の濃度を高める処理が行われるように前処理の内容が変更された上で、宛先情報が再度抽出されるので、宛先情報が抽出される確率が高くなり、ユーザＸは、画情報処理が中断している旨や画情報処理が終了した旨をより確実に把握することができる。
【００５３】
【発明の効果】
本発明によれば、画情報の処理状況が制御シートに記載の宛先に送信されるので、ユーザは、装置近辺に留まること必要がなくなり、余分な時間を費やすことなく画情報の処理状況を把握することができる。
【図面の簡単な説明】
【図１】本発明の一実施形態である画像処理ユニットおよびその周辺機器からなるシステムの構成を示すシステム構成図
【図２】本発明の一実施形態である画像処理ユニットの構成を示すブロック図
【図３】画像処理ユニットを構成するＲＯＭが格納するプログラムの構成を示すプログラム構成図
【図４】本発明の一実施形態の画像処理ユニットの特徴的動作を示すフローチャート
【図５】制御紙から読み込まれた画情報の構成を示す構成図
【符号の説明】
２１    ＲＯＭ（取得手段、前処理手段、抽出手段、画情報処理手段、通知手段、前処理変更手段）
２２    ＣＰＵ（取得手段、前処理手段、抽出手段、画情報処理手段、通知手段、前処理変更手段）
【図１】
2004274119.tif 000003
【図２】
2004274119.tif 000004
【図３】
2004274119.tif 000005
【図４】
2004274119.tif 000006
【図５】
2004274119.tif 000007